(57)【要約】      （修正有）【課題】野外の水質測定現場でアルカリ度を測定可能な、携帯用アルカリ度測定装置を提供する。【解決手段】被測定流体が担持される試料容器８００と、試料容器の上側に位置し、被測定流体の電気化学的特性を測定するためのセンサ１００、３００と、弱酸溶液注入部４００、及び被測定流体を撹拌するための羽部２０５と、羽部を駆動させるためのモータ部２００がそれぞれ取り付けられる基板５００と、試料容器と基板との間で試料容器に挟み込まれ、基板を支持する支持部材７００と、基板の端部に形成され、プッシュ方式で動作するハンドルと、センサから延在するデータ線と、データ線が接続され、前記基板に形成される制御部と、を含むことを特徴とする。ここで、ハンドルはプッシュ方式で動作することもでき、固定されていてもよい。また、ハンドルは、基板の一側又は両側に形成されることができる。【選択図】図２
2014025924.tif 000002
【特許請求の範囲】
【請求項１】
被測定流体が担持される試料容器と、
前記試料容器の上側に位置し、前記被測定流体の電気化学的特性を測定するためのセンサと、弱酸溶液注入部と、前記被測定流体を撹拌するための羽部と、この羽部を駆動させるためのモータ部とがそれぞれ取り付けられる基板と、
前記試料容器と前記基板との間で前記試料容器に挟み込まれ、前記基板を支持する支持部材と、
前記基板の端部に形成されるハンドルと、
前記センサから延在するデータ線と、
前記データ線が接続され、前記基板に形成される制御部と
を含むことを特徴とする携帯用アルカリ度測定装置。
【請求項２】
前記ハンドルは、プッシュ方式で動作することを特徴とする請求項１に記載の携帯用アルカリ度測定装置。
【請求項３】
前記ハンドルは、前記基板の一側又は両側に形成されることを特徴とする請求項１に記載の携帯用アルカリ度測定装置。
【請求項４】
被測定流体が担持される試料容器と、
前記試料容器の上側に位置し、前記被測定流体の電気化学的特性を測定するためのセンサと、弱酸溶液注入部と、前記被測定流体を撹拌するための羽部と、この羽部を駆動させるためのモータ部とがそれぞれ取り付けられる基板と、
前記試料容器と前記基板との間で前記試料容器に挟み込まれ、前記基板を支持する支持部材と、
前記基板の端部に形成されるハンドルと、
前記センサから延在するデータ線と、
前記データ線が接続され、前記ハンドルに形成される制御部と
を含むことを特徴とする携帯用アルカリ度測定装置。
【請求項５】
前記ハンドルは、プッシュ方式で動作することを特徴とする請求項４に記載の携帯用アルカリ度測定装置。
【請求項６】
前記ハンドルは、前記基板の一側又は両側に形成されることを特徴とする請求項４に記載の携帯用アルカリ度測定装置。
【請求項７】
被測定流体が担持される試料容器と、
前記試料容器の上側に位置し、前記被測定流体の電気化学的特性を測定するためのセンサと、弱酸溶液注入部と、前記被測定流体を撹拌するための羽部と、この羽部を駆動させるためのモータ部とがそれぞれ取り付けられる基板と、
前記試料容器と前記基板との間で前記試料容器に挟み込まれ、前記基板を支持する支持部材と、
前記基板の端部に形成される突出型ハンドルと、
前記センサから延在するデータ線と、
前記データ線が接続され、前記基板に形成される制御部と
を含むことを特徴とする携帯用アルカリ度測定装置。
【請求項８】
前記突出型ハンドルは、前記基板の一側又は両側に形成されることを特徴とする請求項７に記載の携帯用アルカリ度測定装置。
【請求項９】
被測定流体が担持される試料容器と、
前記試料容器の上側に位置し、前記被測定流体の電気化学的特性を測定するためのセンサと、弱酸溶液注入部と、前記被測定流体を撹拌するための羽部と、この羽部を駆動させるためのモータ部とがそれぞれ取り付けられる基板と、
前記試料容器と前記基板との間で前記試料容器に挟み込まれ、前記基板を支持する支持部材と、
前記基板の端部に形成されるハンドルと、
前記センサから延在するデータ線と、
前記データ線が接続される制御部と
を含むことを特徴とする携帯用アルカリ度測定システム。
【請求項１０】
前記ハンドルは、プッシュ方式で動作することを特徴とする請求項９に記載の携帯用アルカリ度測定装置。
【請求項１１】
前記ハンドルは、前記基板の一側又は両側に形成されることを特徴とする請求項９に記載の携帯用アルカリ度測定システム。
【発明の詳細な説明】
【技術分野】
【０００１】
本発明は、携帯用アルカリ度測定装置及びシステムに関し、より詳しくは、野外の水質測定現場でより安定して扱うことができ、また、便利に操作することができる携帯用アルカリ度測定装置及びシステムに関する。
【背景技術】
【０００２】
通常、上下水道浄水施設や、ごみ埋立地や家畜埋没地などの浸出水、放射性廃棄物埋立場の地下水、ＣＯ２地中貯蔵敷地の地下水、その他の湧出水（鉱泉水、泉）、又は飲用として用いられる地下水などのようなところでは水質管理が十分に行われていて、市民の安全のため、定期的に水質を検査又は測定している。
【０００３】
ほとんどの水質検査は、利便性又は制御性を考えて、遠隔地から自動化されている実情であるが、場合によっては、自動化している水質検査場所でも、手動で水質検査をすることもあり、また、時を選ばずに特定場所に移動して、水質を検査する場合が発生することもあるが、このような場合に、携帯用アルカリ度測定装置を使用すると便利である。
【０００４】
上述した携帯用アルカリ度測定装置は、測定者が、被測定地（測定対象地）を訪問して、試料を採取した後、一定の測定方式により、被測定物（試料、サンプル）のアルカリ度を測定した後、データを収集・記録する装置である。水質検査に際して、アルカリ度を除く他の検査項目に対しても測定を行うことができるが、本発明は、アルカリ度測定に関するものであるので、その他の検査項目に対する説明は省略する。
【０００５】
但し、アルカリ度測定の場合、測定装置自体が、温度、ｐＨ変化などに敏感であるため、被測定地の現場ですぐ測定するのが望ましいということを理解されたい。
【０００６】
ここで、アルカリ度測定方法は、グレン滴定法（Ｇｒａｎ  ｔｉｔｒａｔｉｏｎ）を用いて測定することとし、残りの具体的なアルカリ度測定方法については、説明の単純・明瞭化のために省略し、本発明でのアルカリ度測定のメカニズムは、従来技術に準ずることとする。
【０００７】
携帯用水質測定装置について従来の技術を検索した結果、下記の特許文献がある。特許文献では、取っ手が飛び出して、固定した構成を示しており、水質測定作業中でも、取っ手が突出しているという不都合があった。
【先行技術文献】
【特許文献】
【０００８】
【特許文献１】韓国登録特許第１０−１０５５３８２号公報
【発明の概要】
【発明が解決しようとする課題】
【０００９】
本発明は、野外の水質測定現場でアルカリ度を測定することに際して、より安定して扱うことができ、かつ、便利に操作することができる携帯用アルカリ度測定装置及びシステムを提供することを目的とする。
【課題を解決するための手段】
【００１０】
前記目的を達成するための本発明の一実施形態による携帯用アルカリ度測定装置は、被測定流体が担持される試料容器と；前記試料容器の上側に位置し、前記被測定流体の電気化学的特性を測定するためのセンサと、弱酸溶液注入部、及び前記被測定流体を撹拌するための羽部と、この羽部を駆動させるためのモータ部がそれぞれ取り付けられる基板と；前記試料容器と前記基板との間で前記試料容器に挟み込まれ、前記基板を支持する支持部材と；前記基板の端部に形成されるハンドルと；前記センサから延在するデータ線と；前記データ線が接続され、前記基板に形成される制御部と;を含むことを特徴とする。
【００１１】
ここで、前記ハンドルは、プッシュ方式で動作することができる。
【００１２】
また、前記ハンドルは、前記基板の一側又は両側に形成されることができる。
【００１３】
前記目的を達成するための本発明の他の実施形態による携帯用アルカリ度測定装置は、被測定流体が担持される試料容器と；前記試料容器の上側に位置し、前記被測定流体の電気化学的特性を測定するためのセンサと、弱酸溶液注入部、及び前記被測定流体を撹拌するための羽部と、この羽部を駆動させるためのモータ部がそれぞれ取り付けられる基板と；
前記試料容器と前記基板との間で前記試料容器に挟み込まれ、前記基板を支持する支持部材と；前記基板の端部に形成されるハンドルと；前記センサから延在するデータ線と；前記データ線が接続され、前記ハンドルに形成される制御部と；を含むことを特徴とする。
【００１４】
ここで、前記ハンドルは、プッシュ方式で動作することができる。
【００１５】
また、前記ハンドルは、前記基板の一側又は両側に形成されることができる。
【００１６】
前記目的を達成するための本発明の更に他の実施形態による携帯用アルカリ度測定装置は、被測定流体が担持される試料容器と；前記試料容器の上側に位置し、前記被測定流体の電気化学的特性を測定するためのセンサと、弱酸溶液注入部、及び前記被測定流体を撹拌するための羽部と、この羽部を駆動させるためのモータ部がそれぞれ取り付けられる基板と；前記試料容器と前記基板との間で前記試料容器に挟み込まれ、前記基板を支持する支持部材と；前記基板の端部に形成される突出型ハンドルと；前記センサから延在するデータ線と；前記データ線が接続され、前記基板に形成される制御部と；を含むことを特徴とする。
【００１７】
ここで、前記突出型ハンドルは、前記基板の一側又は両側に形成されることができる。
【００１８】
前記目的を達成するための本発明の更に他の実施形態による携帯用アルカリ度測定システムは、被測定流体が担持される試料容器と；前記試料容器の上側に位置し、前記被測定流体の電気化学的特性を測定するためのセンサと、弱酸溶液注入部、及び前記被測定流体を撹拌するための羽部と、この羽部を駆動させるためのモータ部がそれぞれ取り付けられる基板と；前記試料容器と前記基板との間で前記試料容器に挟み込まれ、前記基板を支持する支持部材と；前記基板の端部に形成されるハンドルと；前記センサから延在するデータ線と；前記データ線が接続される制御部と；を含むことを特徴とする。
【００１９】
ここで、前記ハンドルは、プッシュ方式で動作することができる。
【００２０】
また、前記ハンドルは、前記基板の一側又は両側に形成されることができる。
【発明の効果】
【００２１】
本発明によると、野外での水質測定に際して、安定して扱うことができ、かつ、便利に操作することができる携帯用アルカリ度測定装置を提供することができる。
【図面の簡単な説明】
【００２２】
【図１】本発明の第１の実施形態による、携帯用アルカリ度測定システムの概略斜視図である。
【図２】本発明の第１の実施形態による、携帯用アルカリ度測定システムが支持部材を介して、試料筒に連結された状態を示す概略断面図である。
【図３】本発明の第１の実施形態によるプッシュハンドルが形成された携帯用アルカリ度測定システムの概略斜視図である。
【図４】本発明の第２の実施形態による、プッシュハンドルに制御部が形成された携帯用アルカリ度測定装置の概略斜視図である。
【図５】本発明の第３の実施形態による、基板に制御部が形成された携帯用アルカリ度測定装置の概略斜視図である。
【図６】本発明の第４の実施形態による、突出型ハンドル部が基板の両側に形成された携帯用アルカリ度測定装置の概略斜視図である。
【発明を実施するための形態】
【００２３】
以下、添付した図面を参照して、本発明による実施形態を詳しく説明する。
【００２４】
本発明の利点及び特徴、そして、それを達成する方法は、添付の図面と共に後述する実施形態を参照すると、明確になるだろう。
【００２５】
しかし、本発明は、以下に開示される実施形態によって限定されるものではなく、互いに様々な形態で具現される。但し、本実施形態は、本発明の開示が完全になるようにし、本発明が属する技術の分野における通常の知識を有する者に、発明の範疇を完全に知らせるために提供されるものであり、本発明は、請求範囲の範疇によって定義されるだけである。
【００２６】
また、本発明を説明することに当り、関連する公知技術などが本発明の要旨を濁ごすと判断される場合、それに関する詳しい説明は、省略することにする。
【００２７】
まず、図１及び図２を参照して、アルカリ度測定に必要な、ｐＨ電極、撹拌用モータ、ＥＣ電極、及び弱酸溶液筒などの装置が配置された本発明の携帯用アルカリ度測定システム１０００の第１の実施形態を説明することにする。
【００２８】
本発明の第１の実施形態による携帯用アルカリ度測定システム１０００は、ｐＨ電極部１００と、試料を撹拌するための羽部２０５と羽部２０５を回転駆動させるためのモータ２０３とが取り付けられるモータ部２００と、ＥＣ電極部３００と、弱酸溶液が貯留した弱酸溶液筒４０９が取り付けられており、上記弱酸溶液を一定量ずつ試料筒（８００、図２参照）に流出するための自動弁４０３が組み立てられる弱酸溶液注入部４００と、ハンドル５０２が形成された基板５００と、制御部６００とを含んでいる。
【００２９】
本発明の第１の実施形態による基板５００は、図１に示しているように、矩形状である。
【００３０】
以下の説明では、いずれも、基板が矩形状である場合を説明するが、円形や正方形の形状である場合にも、本発明を適用することができることを理解すべきである。
【００３１】
上記ｐＨ電極部１００、モータ部２００、ＥＣ電極部３００、及び弱酸溶液注入部４００は、基板５００に形成された取付孔（ａ、ｂ、ｃ、及びｄ）にそれぞれ挿入／固定していることが望ましく、ある測定対象地での水質測定が終了した以後に、他所に移動して、再度水質測定をしなければならない場合や、他の測定対象地への移動時には、これらを取付孔（ａ、ｂ、ｃ、及びｄ）から分離することができる。
【００３２】
また、上記ｐＨ電極部１００、モータ部２００、ＥＣ電極部３００、及び弱酸溶液注入部４００にはそれぞれ、データ伝送のためのデータ線１０１、２０１、３０１、４０１が形成されており、これらのデータ線１０１、２０１、３０１、４０１は、制御部６００に接続される。
【００３３】
本発明では、単に、データ線と書いているが、上記データ線１０１、２０１、３０１、４０１は、ｐＨ電極部１００、モータ部２００、ＥＣ電極部３００、及び弱酸溶液注入部４００などからのデータ伝送に使用してもよく、これらの構成を制御する制御指令を伝送することもでき、これと同時に、電源を供給することもできる。
【００３４】
上記制御部６００は、ノートＰＣであることが望ましいが、タブレットＰＣやその他のデータの接続や制御及び／又は格納可能な機器であっても構わない。
【００３５】
ここで、制御部６００との接続は、示しているように、データ線１０１、２０１、３０１、４０１の形態で接続されることもでき、ＵＳＢケーブルなどによることもでき、無線の形態で接続されることもできる。
【００３６】
無線接続は、例えば、ブルートゥース（登録商標）の形態で連結されることが望ましい。
【００３７】
上記ｐＨ電極部１００、ＥＣ電極部３００、及び弱酸溶液注入部４００の下端にはそれぞれ、電極値の読取、又は、溶液の注入のための孔１０７、３０７、４０７が形成されている。
【００３８】
これらの孔１０７、３０７、４０７の用途は、本発明が属する技術の分野における通常の知識を有する者にとっては、自明なものであるので、説明を省略する。
【００３９】
本発明の第１の実施形態による携帯用アルカリ度測定システム１０００は、図２に概略的に示しているように、基板５００の下方で支持部材７００を介して、試料筒（試料容器、８００）と連結されることができる。
【００４０】
図２において、上記ｐＨ電極部１００、モータ部２００、ＥＣ電極部３００、及び弱酸溶液注入部４００は、概略的に点線で示している。
【００４１】
上記試料筒８００内の試料に、ｐＨ電極部１００、モータ部２００、ＥＣ電極部３００、及び弱酸溶液注入部４００が挿入されることができる。
【００４２】
支持部材７００は、基板５００と試料筒８００との間で、試料筒８００上の基板５００が安定的に維持できるようにし、また、被測定物から、測定者を保護する機能も担う。
【００４３】
ここで、支持部材７００の上部先端は、基板５００を搭載することに適合であるように、フラットである。
【００４４】
また、支持部材７００は、その下部先端７０２が、試料筒８００上のリップ部８０２に丁度挟み込まれる。
【００４５】
したがって、支持部材７００の直径方向のサイズは、支持部材７００が試料筒８００上のリップ部８０２に丁度挟み込まれるサイズであれば、構わない。
【００４６】
ここで、上記支持部材７００の挿入深さは、試料筒８００から支持部材７００が分離しない程度で、かつ、サンプルの水質測定時に揺れない程度の深さであると、適合である。
【００４７】
また、上記試料筒８００は、ビーカー（ｂｅａｋｅｒ）であるのが望ましい。この場合、ビーカーは、市販のビーカーであってもよい。
【００４８】
必要な場合には、上記試料筒８００は、被測定流体の測定時に、転倒を防止するための転倒防止ホルダ（図示せず）に挿入されることもできる。
【００４９】
この場合、測定時に多少の揺れが生じても、試料筒８００、及び試料筒８００上に位置した基板５００が転倒することを、確実に防止することができる。
【００５０】
次に、本発明の第１の実施形態による携帯用アルカリ度測定システム１０００の動作について、簡単に説明する。
【００５１】
アルカリ度測定は、まず、制御部６００で測定開始指令が発令され、これにより、自動制御バルブ４０３が、弱酸溶液筒４０９に貯留されている弱酸溶液を一定量、孔４０７を介して、試料筒８００内の試料で注入する。
【００５２】
このとき、ｐＨ電極部１００とＥＣ電極部３００とで読み取られた測定値を、制御部６００に記録した後、弱酸溶液を一定量再注入してから、ｐＨを測定し、ｐＨが設定値、例えば、４．５、４．３、又は、３．８となるまで、繰返して弱酸溶液を一定量ずつ注入しながら、測定を行う。
【００５３】
測定前、又は測定中に、モータ部２００に取り付けられている羽部２０５を駆動させて、試料を撹拌することができる。
【００５４】
試料を撹拌するようになると、試料中のアルカリ度が、試料全体に亘って均一となる効果がある。
【００５５】
ここで、上記羽部２０５は、撹拌時の試料筒８００の底との衝突や、設置時又は分離時の反りなどを防止するため、外部保護網２０９を備えているのがより望ましい。
【００５６】
以上のようにして、試料のｐＨ値が設定値（４．５、４．３、３．８など）に到逹すると、制御部６００は、それぞれ注入された弱酸溶液の体積及びｐＨ測定値などを記録格納し、この記録格納された測定データから、被測定地で収集した試料サンプルのアルカリ度が分かるようになる。
【００５７】
このようにして、被測定地での水質測定が終了すると、上述したように、上記ｐＨ電極部１００、モータ部２００、ＥＣ電極部３００、及び弱酸溶液注入部４００を分離して、移動することができる。
【００５８】
この場合、基板５００に形成したハンドル５０２を使用すると、非常に便利である。
【００５９】
次に、本発明の第１の実施形態による携帯用アルカリ度測定システム１０００のハンドル５０２について、説明する。
【００６０】
まず、上記ハンドル５０２は、図１〜図３に示しているように、プッシュ方式で引出するように、基板５００内に挿入されている。
【００６１】
したがって、携帯用アルカリ度測定システム１０００を使用するに際しては、ハンドル５０２を基板５００内に挿入したまま、アルカリ度を測定することができるため、邪魔となることなく、アルカリ度の測定が終了すると、ハンドル５０２を引出して取ることができるので、他の場所への移動時に、非常に便利である。
【００６２】
併せて、本発明の第１の実施形態では、ハンドル５０２がプッシュ方式で基板５００内に挿入されているが、上記ハンドル５０２が、基板５００の一側又は両側に突出して形成された非プッシュ型で形成されてもよく、ねじ形式で巻くか、解除する円形棒の形状で形成されてもよい。
【００６３】
ここで、非プッシュ型とは、本発明の第１の実施形態でのように、ハンドル５０２が基板５００内に挿入されることでなはく、最初形成時に、ハンドル部を予め突出して形成しておくことを意味する。
【００６４】
この場合については、第４の実施形態で説明することにする。
【００６５】
一方、上記ハンドル５０２は、基板５００の一側又は両側に形成されている。
【００６６】
それで、特に、ハンドル５０２が、基板５００の両側に形成された場合は、ある被測定地での水質検査が完了した後に、他の被測定地へ移動する場合に、ハンドル５０２が基板５００の一側に形成された場合と比較して、非常に容易に、携帯用アルカリ度測定システム１０００を運搬することができる。
【００６７】
図３を参照すると、ハンドル５０２は、基板５００に内蔵されている。このハンドル５０２の最右側面を押下すると、ハンドル５０２が、ハンドル挿入孔５０４に左側方向（図３での左側矢印方向、図面符号５２０）に入り、再度、ハンドル５０２を押下すると、ハンドル挿入孔（５０４、図１参照）に入っているハンドル５０２が、図面から見て、右側方向（図３での右側矢印方向、図面符号５２２）に飛び出すように設計されている。
【００６８】
ここで、基板５００の内部に、上記ハンドル挿入孔５０４が形成されるべきであるため、取付孔（ｃ及びｄ）は、図３に示しているように、基板５００の右側先端から、上記ハンドル５０２の挿入深さ５０６よりも少し左側に一定の距離を置いて、形成するのが望ましい。
【００６９】
当然でありながら、ハンドル５０２を基板５００の両側に形成する場合にも、ハンドル５０２の挿入深さ５０６を考えて、両側の先端からそれぞれ、上記ハンドル５０２の挿入深さ５０６よりも更に長い距離を置くことが望ましい。
【００７０】
また、ハンドル５０２は、移動・運搬時に、把持するのに適当な大きさで形成することがより望ましい。
【００７１】
次に、本発明の第２の実施形態による携帯用アルカリ度測定装置２０００のハンドル５５０について、図４を参照して説明する。
【００７２】
図４は、ハンドル５５０がハンドル取付孔５０４からすり抜けて、基板５００の外部に引出したことを強調した図面である。
【００７３】
図４では、ハンドル５５０が基板５００の一側に形成されていることを示しているが、ハンドル５５０が、基板５００の両側に形成されていてもよいことは、前述した通りである。
【００７４】
図４に示しているように、本発明の第２の実施形態による携帯用アルカリ度測定装置２０００のハンドル５５０の上面には、制御部５０８、５１０が形成されている。
【００７５】
制御部中の符号５０８は、ディスプレイであり、制御部中の符号５１０は、スイッチである。
【００７６】
ここで、ハンドル５５０は、第１の実施形態と同様に、移動運搬時に、把持するのに適当な大きさで形成するのが望ましい。
【００７７】
本発明の第２の実施形態による携帯用アルカリ度測定装置２０００のハンドル５５０は、ハンドル５５０の上面に、制御部５０８、５１０が形成されていることを除くと、残りの構成は、本発明の第１の実施形態の携帯用アルカリ度測定システム１０００の構成と同一であるため、残りの構成に関する説明は、省略する。
【００７８】
第２の実施形態の制御部５０８、５１０には、別に、メモリ部（図示せず）及び演算部（図示せず）が形成されるが、この場合、第１の実施形態にある制御部６００の構成は、除いてもよい。
【００７９】
これは、測定対象地での水質検査に際して、制御部５０８、５１０に含まれるメモリ（図示せず）に水質測定データを蓄積して格納し、このデータを演算部（図示せず）で演算して、アルカリ度を表示することができるからである。
【００８０】
必要な場合には、測定対象地でその他のコンピュータ手段を用いて、後処理をすることもできる。
【００８１】
上記制御部５０８、５１０中のディスプレイ５０８は、試料のアルカリ度測定結果を表示するに十分な桁数が表示されるディスプレイであると十分である。また、上記制御部５０８、５１０中のスイッチ５１０は、アルカリ度検査を開始させるスイッチであることができる。
【００８２】
実際の水質検査プロセスは、第１の実施形態と同様な手順であるので、これに関する説明は、省略する。
【００８３】
次に、本発明の第３の実施形態による携帯用アルカリ度測定装置３０００について、図５を参照して説明する。
【００８４】
図５は、第３の実施形態のハンドル５０２が、基板５００のハンドル取付孔５０４から外部に引出されており、上記ハンドル５０２がすり抜けたハンドル挿入孔５０４の上部に、制御部５０８、５１０が形成されていることを除くと、残りの構成は、本発明の第１の実施形態の携帯用アルカリ度測定システム１０００の構成と同一であるため、残りの構成に関する説明は、省略する。
【００８５】
ここで、ハンドル５０２は、移動運搬時に把持するのに適当な大きさで形成するのが望ましいということは、前述した通りである。
【００８６】
上記制御部５０８、５１０は、ハンドル挿入孔５０４の上部ではなく、基板５００の他の適当な位置に形成されてもよい。
【００８７】
図５では、ハンドル５０２が、基板５００の一側に形成されていることを示しているが、ハンドル５０２が、基板５００の両側に形成される構成が可能であるということは、前述した通りである。
【００８８】
第３の実施形態の上記制御部５０８、５１０にも、第２の実施形態と同様に、別にメモリ部（図示せず）及び演算部（図示せず）が形成されることができるが、この構成は、第２の実施形態と同一であるため、これに関する説明は、省略する。
【００８９】
一方、第３の実施形態の携帯用アルカリ度測定装置３０００の構成は、制御部５０８、５１０が、基板５００の上面に形成されていることを除くと、残りの構成は、本発明の第２の実施形態の携帯用アルカリ度測定システム２０００の構成と同様であるので、残りの構成に関する説明は、省略する。
【００９０】
ついで、本発明の第４の実施形態に関する携帯用アルカリ度測定装置４０００について、図６を参照して、説明する。
【００９１】
図６は、ハンドル５１８、５１８が、基板の両側に形成されていることを強調した図面である。
【００９２】
図６では、ハンドル５１８、５１８が、基板の両側に形成されている旨示しているが、上記ハンドル５１８、５１８が基板の一側にのみ形成されてもよい。
【００９３】
第４の実施形態のハンドル５１８、５１８は、第１の実施形態〜第３の実施形態でのようなプッシュ方式のハンドル５０２、５０５とは異なり、突出型で形成されたハンドル５１８、５１８である。
【００９４】
再び、図６を参照すると、第４の実施形態の携帯用アルカリ度測定装置４０００のハンドル５１８には、野外の測定現場で、上記ハンドル５１８をより容易に把持できるようにするための把持孔５１２、５１２が形成されているが、この把持孔５１２、５１２は、ハンドル５１８の両側に等しく形成されていることが望ましいが、上記ハンドル５１８に、把持孔５１２、５１２を形成しなくても良いということは、言うまでもない。
【００９５】
ここで、上記ハンドル５１８、５１８は、第１の実施形態〜第３の実施形態のハンドル５０２、５５０でのように、挿入深さ（５０６、図１及び図３参照）程度の距離を置いて、突出して形成するのが望ましい。
【００９６】
本第４の実施形態の基板５００の上面には、本発明の第２の実施形態及び第３の実施形態で説明した制御部５０８、５１０と同様な制御部５１４、５１６が形成されている。
【００９７】
制御部中の符号５１４は、ディスプレイであり、既存のディスプレイ５０８と異なり、空間の制約により、一直線状に並んでいる。
【００９８】
制御部中の符号５１６は、スイッチである。
【００９９】
上記制御部５１４、５１６は、望ましくは、図６に示しているように、基板５００の右側下端に形成することが望ましい。
【０１００】
また、第４の実施形態の上記制御部５１４、５１６にも、第２の実施形態でのように、別にメモリ部（図示せず）及び演算部（図示せず）が形成されることがあるが、この構成は、第２の実施形態と同一であるため、これに関する説明は、省略する。
【０１０１】
一方、第４の実施形態の携帯用アルカリ度測定装置４０００の構成は、制御部５１４、５１６が基板５００の上面に形成されており、ハンドル５１８、５１８が基板５００の両側に形成されていることを除くと、残りの構成は、本発明の第２の実施形態の携帯用アルカリ度測定システム２０００の構成と同様であるため、残りの構成に関する説明は、省略する。
【０１０２】
今まで、本発明による携帯用アルカリ度測定装置、及びシステムに関する具体的な実施形態について説明したが、本発明の範囲から逸脱しない限度内では、様々な実施変形が可能であることは自明である。
【０１０３】
それで、本発明の範囲には、説明された実施形態に限って、伝達されてはいけなく、後述する特許請求の範囲だけではなく、この特許請求の範囲と均等なものによって決められるべきである。
【０１０４】
すなわち、前述した実施形態は、全ての面で例示に過ぎず、限定的ではないことと理解すべきであり、本発明の範囲は、詳細な説明よりは後述する特許請求の範囲によって示され、その特許請求の範囲の意味及び範囲、そして、その等価概念から導出される全ての変更又は変形した形態が、本発明の範囲に含まれることと解釈すべきである。
【符号の説明】
【０１０５】
１０００：携帯用アルカリ度測定システム
１００：ｐＨ電極部
２００：モータ部
２０３：モータ
２０５：羽部
３００：ＥＣ電極
４００：弱酸溶液注入部
４０３：自動バルブ
５００：基板
５０２：ハンドル
５０４：ハンドル挿入孔
５０６：（ハンドル）挿入深さ
５０８：ディスプレイ
５１０：スイッチ
５１２：把持孔
５１８：ハンドル
５５０：ハンドル
ａ、ｂ、ｃ、ｄ：取付孔
１０７、３０７、４０７：（溶液注入）孔
６００：制御部
７００：支持部材
８００：試料筒（ビーカー）
２０００、３０００、４０００：携帯用アルカリ度測定装置
【図１】
2014025924.tif 000003
【図２】
2014025924.tif 000004
【図３】
2014025924.tif 000005
【図４】
2014025924.tif 000006
【図５】
2014025924.tif 000007
【図６】
2014025924.tif 000008